(57)【特許請求の範囲】
【請求項１】
ＭｇＣｌ２、ＣａＣｌ２、ＮａＣｌの少なくとも一種の塩化物を含有し、路面または地面に散布される潮解性錠剤において、前記錠剤の形状を扁平な盤状とし、下面を概ね平坦に形成し、その上面を中央部が高く、周辺部が低い中高の凸面に形成した中実の逆おわん型のものとしたことを特徴とする潮解性錠剤。
【請求項２】
上記盤状の長径を３ｍｍ以上、１５ｍｍ以下にした請求項１に記載の潮解性錠剤。
【発明の詳細な説明】
【０００１】
【発明の属する技術分野】
この発明は、潮解性を有する錠剤に関する。
【０００２】
【従来の技術】
ＭｇＣｌ2 、ＣａＣｌ2 、ＮａＣｌ等の塩化物は、それらに水を加えると、氷点降下作用を示し、また、溶解の際に発生する溶解熱によって、路面の凍結や積雪を防止することができ、路面に散布すると、散布後、直ちにその作用を発揮するので、古くから、寒冷地や冬季において、融雪剤や路面の凍結防止剤として用いられている。
【０００３】
また、これらＭｇＣｌ2 、ＣａＣｌ2 、ＮａＣｌの塩化物は潮解性を有する物質でもある。潮解は、固体が大気中の水分を吸収して次第に溶解して、自身で自身の水溶液を作ってゆく現象であり、飽和水溶液の示す水蒸気圧が大気中の水蒸気圧に比べて著しく低い場合に起こる。
【０００４】
そこで、これらの塩化物は、その潮解性を利用して、寒冷地や冬季に於ける路面の凍結防止や融雪のためだけでなく、通常の温暖な気候の地においても、それらを地面に散布して、それらが潮解して生じる水溶液によって、工事現場等の砂塵が舞い上がりやすい場所では防塵に用いたり、また、運動用のグランドやコートに対しては、その潮解によって生じた水溶液を土壌にしみ込ませて、土壌に粘り気を持たせて、乾燥によるひび割れを防止して、運動に適した土壌にするといった、一種の土壌改良剤としての役割を担わせることもできる。
【０００５】
【発明が解決しようとする課題】
ところで、上記のように融雪・凍結防止および、防塵、土壌改良作用を示す潮解性錠剤の散布は、それを投入したホッパと、そのホッパの排出口の直下に配設された遠心式の散布用回転円板を荷台に搭載したトラックで所望の散布地域に移動して、その場所で、前記ホッパから前記回転円板上に潮解性錠剤を落下させ、落下してくる錠剤を回転円板の遠心力でもって周囲に飛散させて、散布するようにしている。
【０００６】
しかしながら、その潮解性錠剤の従来のものは、その形状が直径３乃至５ｍｍぐらいの小さい球体のものであり、このような寸法形状のものは、上記のような強力な散布手段で地面に散布すると、転がって地面に定着しにくく、所望の領域に対して融雪・凍結防止あるいは防塵、土壌改良作用が成されないという問題がある。特に、地面が傾斜面である場合には、その傾斜の下方に偏在して、所望の領域には、それらの作用が全くなされないことになる。
【０００７】
そのような問題に対処するため、特開２０００−２１２５４８号公報に開示された発明では、（ＮａＣｌを８０重量％より多く含有する）融雪剤として、その形状が１〜１０ｍｍの造粒体を基本の形態とし、より好ましき形態として、軸方向の平均長さが２〜１０ｍｍ、軸に垂直な断面の平均長径が２〜６ｍｍの柱状の造粒体が記載されている。そして、このような形態のものを散布すれば、氷雪面へ散布する際の転がり、又は、路面の傾斜や風による転がりが抑制され、飛散の少ない、偏りのない散布が可能であるとしている。
【０００８】
しかしながら、この造粒体も、その形状が柱体であるので、その断面が円形や楕円の場合は勿論のこと、矩形であっても、その周面に沿って地面を転がるおそれがあるので、開示内容のごとく、路面の傾斜や風による転がりが抑制されるかどうかは疑わしい。
【０００９】
そこで、この発明の課題は、上記したＭｇＣｌ2 、ＣａＣｌ2 、ＮａＣｌの少なくとも一種の塩化物を含有する潮解性錠剤について、それらを地面に散布した際、それらが地面に確実に定着するようにし、また、散布時に周囲のものを傷つけることのないようにもして、それらを散布した所望の領域に対して、融雪・凍結防止、あるいは前記した防塵、土壌改良作用が十分に発揮できるようにすることにある。
【００１０】
【課題を解決するための手段】
上記課題を解決するために、この発明は、上記潮解性錠剤の形状を扁平な盤状とし、その下面を概ね平坦に形成し、上面を中央部が高く、周辺部が低い中高の凸面に形成した中実の逆おわん型のものとしたのである。
【００１１】
このようにしたので、その潮解性錠剤を地面に散布すれば、それらは、その平坦な下面でもって地面に沿うので、風や地面が傾斜面であることによる転がりが阻止され、所望の領域にとどまるようになる。
【００１２】
また、そのような形状であると、散布した際、最初に、その上面の凸面の部分で着地しても、引っ繰り返った際には、前記下面の部分で地面に沿うので、やはり、その位置に留まるようになる。従って、その所望の領域において、融雪・凍結防止や防塵、土壌改良作用が十分に発揮されるようになる。
【００１３】
その際、前記錠剤の下面の長径の寸法を３ｍｍ以上、１５ｍｍ以下の範囲にするのが好ましく、それは、３ｍｍより小さい寸法では、例えば、散布を、ブロアによって空気を吹きつけて行う場合には飛び過ぎて、所望の領域に均一に散布できないからであり、１５ｍｍより大きな寸法のものでは、工業的な生産が困難であるだけでなく、散布後に飛散して周囲の存在物に衝突した際、それらを傷を付けるおそれがあるからである。
【００１４】
【発明の実施の形態】
以下、図を参照してこの発明の実施の形態を説明する。図１は、（ａ）に、この実施形態の潮解性錠剤１の形状と寸法を斜視図で示し、（ｂ）に、その製法の概略を模式図で示し、（ｃ）、（ｄ）に、その作用を側面図で示したものである。
【００１５】
先ず、錠剤１の成分は、この実施形態では、ＭｇＣｌ2 、ＣａＣｌ2 、ＮａＣｌの三種の塩化物の混合物としたが、いずれかの塩化物単独の成分のものでも、また、任意の二種の塩化物の混合物でもよい。
【００１６】
そして、その形状は、この発明の特徴として、扁平な盤状とし、下面を概ね平坦に形成し、その上面を中高の凸面としたものであるが、この実施形態では、（ａ）に示すように、中実の逆おわん型とし、その下面（円）１ｂの直径が５ｍｍ〜１０ｍｍの範囲にあるものを作製した。大きさをこの範囲にしたのは、先述のとおりである。すなわち、３ｍｍより小さい寸法では、散布を、回転円板の遠心力によって飛散させる場合には、飛び過ぎて、所望の領域に均一に散布できないからであり、１５ｍｍより大きな寸法のものでは、工業的な生産が困難であるだけでなく、散布後に飛散して周囲の存在物に衝突した際、それらを傷を付けるおそれがあるからである。この実施形態では、さらに、その範囲の内寄りのものを作製した。
【００１７】
次に、そのような寸法形状の潮解性錠剤１の製法として、同図（ｂ）に示すように、上記の混合物を、湿り気のある柔らかい板体２に形成したものを、前記逆おわん型の窪みｈを表面に設けた一方のローラＲと、表面がフラットなもう一方の対のローラＲ’との間に加圧しながら通過させることにより、その板体２から前記形状の錠剤１を得るようにしている。
【００１８】
このような形状の錠剤１であると、先述したように、下面１ｂがフラットな面であるので、同図（ｃ）に示すように、そのフラットな面で地面Ｅに沿って確実に定着し、寒冷地や冬季においては、所望の領域において、融雪・凍結防止作用が十分に発揮され、また、温暖な地においても、それらの錠剤１が有する潮解性により、それらが潮解して生じる水分によって、工事現場等の砂塵の舞い上がり易い場所では防塵作用を示し、あるいは、グランドやコート等の運動場では、その水分が地面にしみ込んで、乾燥に基づくひび割れを防止する、といった土壌改良作用を十二分に発揮することができる。
【００１９】
さらに、上記のような形状であると、先述したように、散布した際、同図（ｄ）に示すように、最初に、その盤状の上面１ａの中高の凸面の部分で地面Ｅに着地しても、引っ繰り返った際には、フラットな下面１ｂの部分で地面Ｅに沿うので、やはり、その位置に留まるようになり、所望の領域において、融雪・凍結防止、あるいは防塵、土壌改良作用が十分に発揮されるようになる。
【００２０】
なお、この実施形態では、盤状の錠剤１の下面１ｂの形を円形としたが、楕円でもよく、それは、楕円も、散布の際に周囲のものにぶつかっても、それらを傷をつけない形だからである。
【００２１】
さらに、散布する場所が前記グランドのように周囲に何もない場所では、錠剤の衝突については考える必要はないので、その外形は、特に円や楕円のような曲線である必要もなく、多角形のものでもよい。要するに、この発明の錠剤の根本的な形状は、下面が概ね平坦で、上面が中高の凸面を成す扁平な盤状体ということである。
【００２２】
【発明の効果】
以上説明したように、この発明は、ＭｇＣｌ２、ＣａＣｌ２、ＮａＣｌの少なくとも一種の塩化物を含有する潮解性錠剤の形状を扁平な盤状とし、その下面を概ね平坦に形成し、その上面を中央部が高く、周辺部が低い中高の凸面に形成した中実の逆おわん型のものとしたので、そのような形状の錠剤はそのフラットな下面が地面に沿うので、定着しやすく、融雪・凍結防止作用、および、工事現場等砂塵の舞い上がりやすい場所の防塵作用、あるいは、グランドやコート等の運動用地面に対する土壌改良作用が十分に発揮できる、という効果がある。
【図面の簡単な説明】
【図１】（ａ）に、実施形態の錠剤の形状と寸法を斜視図で示し、（ｂ）に、その製法の概略を模式図で示し、（ｃ）、（ｄ）に、その作用を側面図で示したものである。
【符号の説明】
１  潮解性錠剤
１ａ  上面
１ｂ  下面
２  板体
Ｅ  地面
Ｒ、Ｒ’  ローラ
ｈ  窪み
【図１】
0003837085.tif 000002